(57)【特許請求の範囲】
【請求項１】
超音波振動子から付与される超音波振動を、プローブヘッドを介して肌表面に伝達させる超音波美容器具において、前記超音波振動子を、導電性材料からなるプローブヘッドの背面部分に形成されて、筒部に周囲を囲まれた凹部内に収容して取り付け、この超音波振動子に対して電気信号を出力する制御回路を設け、この制御回路と電気的に接続する一方の接続端子を前記超音波振動子に接続するとともに、他方の接続端子を前記プローブヘッドの凹部の外側部分に接触させて接続したことを特徴とする超音波美容器具。
【請求項２】
前記他方の接続端子を前記プローブヘッドの凹部の外側部分の端面に接触させたことを特徴とする請求項１に記載の超音波美容器具。
【請求項３】
前記他方の接続端子を前記プローブヘッドの凹部の外側部分の外側面に接触させたことを特徴とする請求項１に記載の超音波美容器具。
【請求項４】
前記プローブヘッドをプローブ基台上に設け、このプローブ基台に前記一方の接続端子及び他方の接続端子をそれぞれ装着し、この装着状態で、前記各接続端子相互間に位置する絶縁リブを、前記プローブ基台に設けたことを特徴とする請求項１ないし３のいずれか１項に記載の超音波美容器具。
【発明の詳細な説明】
【技術分野】
【０００１】
本発明は、超音波振動子から付与される超音波振動を、プローブヘッドを介して肌表面に伝達させる超音波美容器具に関する。
【背景技術】
【０００２】
従来から、超音波振動子を用いてプローブヘッドを超音波振動させ、このプローブヘッドを人の肌に接触させることで肌の引き締め効果などの様々な美容効果を得ることができる超音波美容器具が知られている（例えば、下記特許文献１参照）。
【０００３】
この超音波美容器具は、超音波振動子における異なる二つの電極に対し、一方の接続端子を超音波振動子の背面に接触させ、他方の接続端子を導電性材料で構成した、超音波振動子を取り付けているプローブヘッドの内側面に接触させている。
【０００４】
【特許文献１】特開２００６−１８１２９２号公報
【発明の開示】
【発明が解決しようとする課題】
【０００５】
ところで、上記した従来の超音波美容器具においては、プローブヘッドの背面側の超音波振動子を取り付けている空間が狭く、このため二つの接続端子は、相互の短絡を回避しつつ、超音波振動子及びプローブヘッドに安定した状態で接触させることが難しく、本体制御回路から送られてくる電気信号が不安定となる恐れがある。
【０００６】
そこで本発明は、二つの接続端子について、相互の短絡を回避しつつ、超音波振動子及びプローブヘッドに安定した状態で接触させることを目的としている。
【課題を解決するための手段】
【０００７】
請求項１の発明は、超音波振動子から付与される超音波振動を、プローブヘッドを介して肌表面に伝達させる超音波美容器具において、前記超音波振動子を、導電性材料からなるプローブヘッドの背面部分に形成されて、筒部に周囲を囲まれた凹部内に収容して取り付け、この超音波振動子に対して電気信号を出力する制御回路を設け、この制御回路と電気的に接続する一方の接続端子を前記超音波振動子に接続するとともに、他方の接続端子を前記プローブヘッドの凹部の外側部分に接触させて接続したことを特徴とする。
【０００８】
請求項２の発明は、請求項１に記載の超音波美容器具であって、前記他方の接続端子を前記プローブヘッドの凹部の外側部分の端面に接触させたことを特徴とする。
【０００９】
請求項３の発明は、請求項１に記載の超音波美容器具であって、前記他方の接続端子を前記プローブヘッドの凹部の外側部分の外側面に接触させたことを特徴とする。
【００１１】
請求項４の発明は、請求項１ないし３のいずれか１項に記載の超音波美容器具であって、前記プローブヘッドをプローブ基台上に設け、このプローブ基台に前記一方の接続端子及び他方の接続端子をそれぞれ装着し、この装着状態で、前記各接続端子相互間に位置する絶縁リブを、前記プローブ基台に設けたことを特徴とする。
【発明の効果】
【００１２】
請求項１，２，３の発明によれば、一方の接続端子及び他方の接続端子を、これら相互の短絡を回避しつつ、超音波振動子及びプローブヘッドに安定した状態で接触させることができ、本体制御回路から送られてくる電気信号を安定化させることができる。
【００１３】
請求項４の発明によれば、一方の接続端子と他方の接続端子との短絡を、絶縁リブによって確実に防止することができる。
【発明を実施するための最良の形態】
【００１４】
以下、本発明の実施の形態を図面に基づき説明する。
【００１５】
図１は、本発明の一実施形態を示す超音波美容器具の正面図である。
【００１６】
この超音波美容器具は、使用者が手で掴む部分となる本体部１と、本体部１の先端（図１中で上端）に位置するヘッド基台部３と、ヘッド基台部３から左右に分岐するようにして突出する第１ヘッド５部及び第２ヘッド部７とを、それぞれ備えている。これら第１，第２各ヘッド部５，７は複数のヘッド部を構成しており、図１の正面視で示すように、本体部１の上端のヘッド基台部３から、やや斜め上方に指向しており、これにより本超音波美容器具は全体としてＹ字形状となるよう形成していることになる。
【００１７】
第１ヘッド部５は、その先端に設けてある導電性材料からなる第１プローブヘッド９（図６参照）と、その周囲を覆うようにして設けてあるアタッチメント１１とにより、人の鼻部に直接接触させて超音波振動を与え、美肌効果を得る。一方、第２ヘッド部７は、その先端に設けてある導電性材料からなる第２プローブヘッド１３により、人の顔部における頬などの主要となる部位に接触させて超音波振動を与え、美肌効果を得る。
【００１８】
図２は、図１の背面図であり、これら第１，第２各ヘッド部５，７を選択的に切り替えて動作させるためのスイッチ部を構成するスイッチ１５を、本体部１の上部に設けている。スイッチ１５の周囲には、スイッチパネル１７を設けている。
【００１９】
図１に示すように、本体部１には、上記したスイッチ１５による超音波美容器具の充電状態を示すＬＥＤ１９及び、その上部に第１，第２各ヘッド部５，７の動作状態を示すＬＥＤ２１，２３，２５をそれぞれ設けている。
【００２０】
上記した第１，第２各ヘッド部５，７には、図３に示すように、不使用時に装着するキャップ２７，２９を備えている。
【００２１】
図４は、超音波美容器具の分解斜視図で、図５は図２のＡ−Ａ断面図である。本体部１のハウジング３１内には、回路基台３３を収容してあり、回路基台３３の、前記したスイッチ１５を設けた側と反対側には、本体回路基板３５をリブ３３ａによって固定している。回路基台３３は、その上部に設けてあるねじ孔３３ｂに、ねじ３７を挿入して後述するヘッド基台６１に固定している。なお、図４中で符号３６は、後述する第１超音波振動子７５と第２超音波振動子１０７を同一の超音波周波数で超音波振動させるための同一の制御回路を備える振動子制御回路基板であり、本体回路基板３５に配線接続される。
【００２２】
回路基台３３の、スイッチ１５を設けた側の下部には、充電池組立品３９を収容しており、該充電池組立品３９の図４中で下部には電池陽極金具４１を、上部には電池陰極金具４３を、それぞれ配置している。
【００２３】
また、前記したスイッチ１５に対応して回路基台３３には、スイッチ基板４５を、ねじ４７によりねじ孔３３ｃを利用して取り付けている。スイッチ１５は、前記したスイッチパネル１７，スイッチ基板４５，スイッチ押さえ板４９，シール部材としてのスイッチゴム５１とともに、スイッチ組立品を構成している。このうち、スイッチパネル１７，スイッチ押さえ板４９及びスイッチゴム５１は、ハウジング３１に超音波溶着により固定することで、スイッチ部を防水構造としているが、防水構造が確保可能であれば、係合突起と係合凹部からなる係止構造や、ねじなどの固定具を用いて固定してもよい。
【００２４】
上記した本体回路基板３５や充電池組立品３９などを収容しているハウジング３１の下部開口には、端部カバーとしての下カバー５３を防水ねじ５５を用いて取り付けている。その際、ハウジング３１と下カバー５３との間には、シール部材としての下カバーＯリング５７を、防水ねじ５５とねじ孔との間にはシール部材となるＯリング５９を、それぞれ介装している。以下、ねじとねじ孔との間にＯリングを設けた構造のねじを、防水ねじと呼ぶ。
【００２５】
前記したヘッド基台部３は、三叉形状で中空のヘッド基台６１を備えている。ヘッド基台６１は、第１，第２各ヘッド部５，７にそれぞれ連結されるヘッド連結部６１ａ，６１ｂを備えるとともに、これら各ヘッド連結部６１ａ，６１ｂ相互の接合部の下部には、ハウジング３１に連結される本体連結部６１ｃを備えている。
【００２６】
本体連結部６１ｃは、図５に示すように、ハウジング３１の上端部３１ａ内に挿入固定され、これら相互間にはシール部材としての本体Ｏリング６３を介装している。
【００２７】
ヘッド基台６１には、その両側部（図１中で紙面の表裏両側）に対して一対のヘッドケース６５，６７が挟み込むようにして装着されている。これら各ヘッドケース６５，６７は、上端部相互が、図５に示すように、係合部６９にて係合固定され、下部は、ハウジング３１の上端部３１ａの外周側に位置して、該上端部３１ａを前記したヘッド基台６１の本体連結部６１ｃとの間で挟持した構造としている。
【００２８】
この状態で各ヘッドケース６５，６７は、一方のヘッドケース６７のねじ挿入孔６７ａから挿入する防水ねじ７１を、他方のヘッドケース６５に設けたねじ孔６５ａにねじ込むことによって相互に固定される。このとき、図５に示すように、ヘッドケース６７のねじ挿入孔６７ａを備えるボス部６７ｂと、ヘッドケース６５のねじ孔６５ａを備えるボス部６５ｂとを、ヘッド基台６１に設けた貫通孔６１ｄに挿入して先端相互を突き合わせた構造とする。
【００２９】
また、この各ヘッドケース６５，６７と、ハウジング３１の上端部３１ａにおける基端側の段部３１ｂとの間に、アクセントリング７２を設けている。さらに、各ヘッドケース６５，６７の第１，第２各ヘッド部５，７を取り付ける側の開口縁部の外周には、第１ヘッドリング７３，第２ヘッドリング７４を設けて各ヘッドケース６５，６７を固定している。
【００３０】
図６は第１ヘッド部５周辺の断面図、図７は第１ヘッド部５及びその周辺部品の分解斜視図、図８は第１ヘッド部５を、ヘッド基台６１のヘッド連結部６１ａに連結した状態を示す断面図である。
【００３１】
第１ヘッド部５は、前述したように第１プローブヘッド９を備えており、第１プローブヘッド９の表面が人の肌に接触させる接触面９ａとなり、この接触面９ａと反対側の背面９ｂに第１超音波振動子７５を取り付けている。第１超音波振動子７５は、前記した本体部１における振動子制御回路基板３６から駆動電圧が印加されることで超音波振動し、これに伴い第１プローブヘッド９も超音波振動する。
【００３２】
第１プローブヘッド９は、第１超音波振動子７５を取り付けた側の外周縁に、接触面９ａと反対側に突出する筒部９ｃを備え、筒部９ｃの先端（図６中で下端）には外側に屈曲して突出するフランジ９ｄを形成している。この筒部９ｃの内側が凹部９ｉとなる。
【００３３】
そして、この筒部９ｃ及びフランジ９ｄを覆うように、ほぼ円筒形状のプローブカバー７７を設けている。プローブカバー７７は、先端にて内側に突出する屈曲部７７ａを第１プローブヘッド９の外周面に接触させ、屈曲部７７ａとフランジ９ｄとの間の空隙にシール部材としてのＯリング７９を設けている。
【００３４】
プローブカバー７７のさらに外側には、これもほぼ円筒形状となるプローブスプリングカバー８１をプローブカバー７７に対して図６中で上下方向に移動可能に設けている。プローブスプリングカバー８１は、先端側のプローブカバー７７の外周面に摺接する摺動部８１ａを備えるとともに、その下端に摺動部８１ａよりも大径のカバー部８１ｂを備えており、このカバー部８１ｂの内側にプローブヘッドスプリング８３を収容している。
【００３５】
なお、プローブヘッドスプリング８３は、ＳＷＰＡ，ＳＷＰＢ，ＳＵＳ３０４，ＳＵＳ３０４ＷＰＢなどの弾性を持つ材質で製作してあり、その内径は２２．０ｍｍ程度である。
【００３６】
このようなプローブヘッドスプリング８３は、摺動部８１ａとカバー部８１ｂとの間のスプリング受け部８１ｃと、プローブカバー７７の下端から外側に突出するスプリング受け部７７ｂとの間にあって、プローブスプリングカバー８１をアタッチメント１１とともに図６中で上方に向けて押し付けている。
【００３７】
この際、プローブスプリングカバー８１におけるカバー部８１ｂの下端は、前記した第１ヘッドリング７３内に挿入され、外側に突出する係止部８１ｄが第１ヘッドリング７３に係合してプローブスプリングカバー８１の上方への抜け止めがなされる。
【００３８】
プローブスプリングカバー８１の先端側（図６中で上方側）には、アタッチメント１１を取り付けている。アタッチメント１１は、先端側の開口が後端側の開口よりも小さく、かつ、先端側の外周縁の一部に切欠１１ａを形成している。
【００３９】
このようなアタッチメント１１は、後端側の開口周縁の円周方向複数個所には係合片１１ｂを下方に向けて突出して設けてあり、この係合片１１ｂの内側に突出させて設けた係合突起１１ｃを前記したプローブスプリングカバー８１の外周に設けてある係合凹部８１ｅに係合させてプローブスプリングカバー８１に固定する。
【００４０】
なお、この係合突起１１ｃと係合凹部８１ｅとの係合は、使用者が容易に外せるような構造としている。
【００４１】
上記した係合固定状態でアタッチメント１１は、後端側の開口周縁の下端１１ｅがプローブスプリングカバー８１におけるカバー部８１ｂの外周上部に設けてある段部８１ｆに当接した状態となる。
【００４２】
以上より、上記したアタッチメント１１は、前記したプローブヘッドスプリング８３によってプローブスプリングカバー８１を介して図６中で上方に押し付けられた状態にあり、図６の状態でアタッチメント１１を下方に向けて押し付けることで、図９のようにプローブヘッドスプリング８３を圧縮しつつ移動することになる。
【００４３】
この際、プローブスプリングカバー８１は、特に図示していないが、第１ヘッドリング７３に対して回転しないようにするための回転規制部を設けてあるものとする。また、第１ヘッドリング７３は、図８に示してあるヘッド基台６１のヘッド連結部６１ａにねじ込むように固定されてヘッド基台６１に対して回転規制されている。
【００４４】
したがってアタッチメント１１は装着時において、図１，図２，図８に示すように、切欠１１ａが下方の本体部１側に位置した状態を維持している。
【００４５】
前記したプローブカバー７７の基端側となる下端のスプリング受け部７７ｂの外周側には外周筒部７７ｃを備え、そのアタッチメント１１側の端部は第１ヘッドリング７３に当接している。また、外周筒部７７ｃの外周面にはシール部材としてのＯリング８９を、本体部側に相当するヘッド基台６１のヘッド連結部６１ａとの間をシールするよう設けている。
【００４６】
前記した第１超音波振動子７５の下部にはプローブ基台９１を配置している。プローブ基台９１は、図６中で下部が開放したカップ形状を呈し、上部外周の段部９１ａに第１プローブヘッド９の筒部９ｃの下端を載せ、プローブカバー７７とで第１プローブヘッド９を挟み込むようにして支持している。
【００４７】
図１０は、アタッチメント１１を取り外した状態の第１ヘッド部５の正面図，図１１は、図６に対し第１ヘッドリング７３，プローブスプリングカバー８１，プローブヘッドスプリング８３及びアタッチメント１１を省略した状態の正面図、図１２は同正面断面図である。図１２に示すように、プローブ基台９１の下端部は外方に突出するフランジ９１ｂを有し、このフランジ９１ｂの下部からねじ９３を挿入してプローブカバー７７とプローブ基台９１とを締結固定する。この際、前記図６に示すように、プローブカバー７７側の係合ピン７７ｄを、プローブ基台９１の係合孔９１ｃに挿入している。
【００４８】
上記したプローブ基台９１の上部壁９１ｄには、第１超音波振動子７５の背面に接触する陽極となる接続金具９５と、第１プローブヘッド９のフランジ９ｄの下面、すなわち第１プローブヘッド９の外側部分の端面９ｄ１に接触する陰極となる接続金具９７を、それぞれ装着している。
【００４９】
図１３は、図１２のＢ−Ｂ断面図で、図１４は図１３におけるプローブ基台９１の平面図、図１５は図１３におけるプローブ基台９１の底面図である。
【００５０】
接続金具９５は、プローブ基台９１の上部壁９１ｄの外周側に設けた取付孔９１ｅに挿入固定し、上部に突出させた接触片９５ａを、図１２のように第１超音波振動子７５の背面に弾性的に圧接させる一方、接触片９５ａに対して９０度屈曲させて下方に突出させた接続片９５ｂにリード線９９の一端を接続する。
【００５１】
一方、接続金具９７は、プローブ基台９１の上部壁９１ｄのほぼ中央に設けた取付孔９１ｆに挿入固定し、上部に突出させた接触片９７ａを、図１３のように第１プローブヘッド９におけるフランジ９ｄの下面に弾性的に圧接させる一方、下方に突出させた接続片９７ｂにリード線１０１の一端を接続する。
【００５２】
上記した各リード線９９，１０１のそれぞれの他端は、本体回路基板３５に接続する。
【００５３】
また、上部壁９１ｄの下面には、図１５に示すように十字形状の絶縁リブ９１ｇを設けて接続金具９５と接続金具９７との接触(短絡)を回避するようにしている。すなわち、絶縁リブ９１ｇは、一方のリブ片９１ｇ１の図１５中の上方の端部を接続金具９５に近接させるとともに、他方のリブ片９１ｇ２の図１５中で右側の端部を接続金具９７に近接させた状態とすることで、これら各接続金具９５，９７の互いの接近移動を規制している。
【００５４】
ここで、接続金具９５は、図１２に示すように、接続片９５ｂの上下方向ほぼ中央に設けた係止片９５ｃが、プローブ基台９１の内周面に設けてある係止リブ９１ｈの下端に係止して固定される。一方、接続金具９７は、図１２，１３に示すように、接続片９７ｂの上下方向ほぼ中央に設けた係止片９７ｃが、上記したリブ片９１ｇ２の下端に係止して固定される。
【００５５】
なお、上記した接続金具９５，９７を取り付けるプローブ基台９１の上壁部９１ｄは、図１３に示すように、接続金具９７を取り付ける部分を、接続金具９５を取り付ける部分より下方としてこれら各取り付け部分相互間に段差を設けている。
【００５６】
ここで、各接続金具９５及び９７の第１超音波振動子７５及び第１プローブヘッド９に対する押し付け荷重は、０．５Ｎ以上とされるが、好ましくは１．０Ｎ以上であることが望ましい。また、各接触片９５ａ，９７ａの撓み量は、０．５ｍｍ以上、好ましくは１．０ｍｍ以上であることが望ましい。
【００５７】
なお、上記した十字形状の絶縁リブ９１ｇに代えて、四角形の中空もしくは中実のリブとしてもよく、また絶縁リブを別部材として、ねじまたはフックなどにより取り付けてもよい。
【００５８】
図１６は、図１３に対応する別の例を示す断面図である。この例は、図１３における接続金具９７に代わる接続金具９７Ａを、プローブカバー７７の内面に取り付けている。
【００５９】
すなわち、この接続金具９７Ａは、下部の接続片９７Ａｂをプローブカバー７７の内面に固定し、上方に延びる接触片９７Ａａを第１プローブヘッド９のフランジ９ｄの外側部分の外側面９ｄ２に弾性的に接触させている。接続片９７Ａｂに一端を接続するリード線１０１は、プローブ基台９１に設けた貫通孔９１ｉを通して下方に延ばしている。
【００６０】
図１７は、上記した接続金具９５，９７に代えて陽極コイルばね１０３，陰極コイルばね１０５を設けた例を示す、前記図１２に対応する断面図である。
【００６１】
すなわち、この例は、図１２のプローブ基台９１に相当するプローブ基台９１０の上面に形成した環状の凹部９１０ａに陽極コイルばね１０３を収容してその上端を第１超音波振動子７５の背面に接触させる。また、プローブ基台９１０の上部外周に形成した環状の段部９１０ｂに、陽極コイルばね１０３よりも大径の陰極コイルばね１０５を収容してその上端を第１プローブヘッド９のフランジ９ｄの下面に接触させる。
【００６２】
そして、これら各陽極コイルばね１０３，陰極コイルばね１０５には、リード線９９，１０１をそれぞれ接続する。
【００６３】
上記図１７の例のおけるその他の構成は、図６のものと同様である。この例においては、図１５に示したような十字形状の絶縁リブ９１ｇが不要であり、簡素化した構造とすることができる。
【００６４】
なお、上記した接続金具やコイルスプリングを設けずに、リード線９９及び１０１を、第１超音波振動子７５及び第１プローブヘッド９にそれぞれ直付けしてもよい。
【００６５】
図１８は第２ヘッド部７の断面図、図１９は第２ヘッド部７の分解斜視図、図２０は第２ヘッド部７を、ヘッド基台６１のヘッド連結部６１ｂに連結した状態を示す断面図、図２１は第２ヘッド部７を、ヘッド基台６１のヘッド連結部６１ｂに連結した状態を示す外観図である。
【００６６】
第２ヘッド部７は、前述したように第２プローブヘッド１３を備えており、第２プローブヘッド１３の表面が人の肌に接触させる接触面１３ａとなり、接触面１３ａと反対側の背面１３ｂに第２超音波振動子１０７を取り付けている。第２超音波振動子１０７は、前記した本体部１における振動子制御回路基板３６から駆動電圧が印加されることで超音波振動し、これに伴い第２プローブヘッド１３も超音波振動する。
【００６７】
ここで第２プローブヘッド１３の接触面１３ａの面積は、第１プローブヘッド９の接触面９ａの面積より大きく形成している。
【００６８】
第２プローブヘッド１３は、第２超音波振動子１０７を取り付けた側の外周縁に、外側に向けて突出するフランジ１３ｃを設けている。
【００６９】
そして、このフランジ１３ｃを覆うように、ほぼ円筒形状のヘッドカバー１０９を設けている。ヘッドカバー１０９は、先端にて内側に突出する屈曲部１０９ａを第２プローブヘッド１３の外周面に接触させ、屈曲部１０９ａとフランジ１３ｃとの間の空隙にシール部材としてのＯリング１１１を設けている。
【００７０】
ヘッドカバー１０９は、上部が開口したヘッドベース１１３の上端が挿入された状態で、ヘッドベース１１３の係止突起１１３ａが係止凹部１０９ｂに係止されてヘッドベース１１３に固定され、これら相互間にはシール部材としてのＯリング１１５を介装している。
【００７１】
ヘッドベース１１３の内側には金具取付用リブ１１３ｂを形成し、この金具取付用リブ１１３ｂに陽極の接続金具１１７を取り付けるとともに、陰極の接続金具１１９を、接続金具１１７の外周側に位置する状態で取り付ける。接続金具１１７は、その先端の接触片１１７ａが、第２超音波振動子１０７の背面に弾性的に押し付けられて接触し、後端の接続片１１７ｂにはリード線１２１の一端を接続する。
【００７２】
一方、接続金具１１９は、その先端の接触片１１９ａが、第２超音波振動子１０７より大径の第２プローブヘッド１３の背面１３ｂに弾性的に押し付けられて接触し、後端の接続片１１９ｂにはリード線１２３の一端を接続する。これら各リード線１２１，１２３の他端は、後述の図２３に示すように、ボス部１１３ｄ，後述するゴムカバー１２９及びヘッドストッパ１３１を貫通させて下方に延ばし、前述した本体回路基板３５に接続する。
【００７３】
上記した接続金具１１９は、図１９に示すように、ほぼ環状に形成してその周縁に沿って前記した接触片１１９ａを３個設けている。一方接続金具１１７は、接続金具１１９の内側に位置してほぼ半円弧形状を呈し、接触片１１７ａを１個設けている。
【００７４】
ヘッドベース１１３は、中心に位置するボス部１１３ｄの下端を、スプリングベース１２７の中心に設けてある貫通孔１２７ａに移動可能に挿入し、ボス部１１３ｄの下端面には、弾性体としてのゴムカバー１２９を、ヘッドストッパ１３１の板状部分１３１ａを介してねじ１３３により固定する。なお、上記したスプリングベース１２７の外周面には、シール部材としてのＯリング１３０を、ヘッド基台６１のヘッド連結部６１ｂとの間をシールするよう設けている。また、第２ヘッドリング７４は、図８に示してあるヘッド基台６１のヘッド連結部６１ｂにねじ込むようにして固定されている。
【００７５】
ゴムカバー１２９の外周縁部付近には屈曲した環状の弾性変形部１２９ａを設け、弾性変形部１２９ａのさらに外側を、環状のゴムカバー押さえ１３５とスプリングベース１２７とで挟持した状態とし、この状態でねじ１３７により固定する。なお、ねじ１３７は、図１９に示してあるように、ゴムカバー１２９の外周側にて周方向複数箇所（ここでは４箇所）にて下方に突出する凸部１３５ａを利用して締結する。
【００７６】
このとき、ヘッドストッパ１３１はゴムカバー押さえ１３５内に位置し、ボス部１１３ｄの下端面はスプリングベース１２７の貫通孔１２７ａ下縁とほぼ同一位置となっている。
【００７７】
スプリングベース１２７の内周側の上部には、ヘッドベース１１３のボス部１１３ｄが挿入される筒状のスプリングカバー１３９を設け、スプリングカバー１３９とボス部１１３ｄとの間に弾性手段としてのヘッドスプリング１４１を介装する。このヘッドスプリング１４１は、スプリングベース１２７に対しヘッドベース１１３を図１８中で上方に向けて押し付けている。
【００７８】
なお、スプリングカバー１３９の下端は、スプリングベース１２７の貫通孔１２７ａに挿入され、この挿入状態でボス部１１３ｄとの間に隙間１４０を形成している。
【００７９】
以上の構成から、第２ヘッド部７は、該第２ヘッド部７が取り付けられるベース部であるスプリングベース１２７に対して直角方向（図１８中で上下方向）に移動可能かつ、この直角方向の中心軸に対して揺動可能である。
【００８０】
この揺動動作が容易となるように、ヘッドベース１１３の下面は凸曲面１１３ｅに形成し、これに対応して第２ヘッドリング７４のヘッドベース１１３に対向する面を凹曲面７４ａとしている。
【００８１】
なお、スプリングカバー１３９及びゴムカバー１２９の材質は、ＥＰＤＭ，ＮＢＲまたはシリコンゴムである。また、ヘッドスプリング１４１は、前記したプローブヘッドスプリング８３と同様に、ＳＷＰＡ，ＳＷＰＢ，ＳＵＳ３０４，ＳＵＳ３０４ＷＰＢなどの弾性を持つ材質で製作してあり、その内径は１６．０ｍｍ程度である。
【００８２】
また、第２プローブヘッド１３の接触面１３ａを肌に密着させたときのヘッドスプリング１４１の荷重は、５．０Ｎ程度でよいが、好ましくは２．０〜４．０Ｎ、さらに好ましくは２．５Ｎ〜３．０Ｎであることが望ましい。ヘッドスプリング１４１の取付荷重は、０．５Ｎ〜２．０Ｎ程度でよいが、好ましくは１．０Ｎ〜１．５Ｎであることが望ましい。さらに、第２プローブヘッド１３を肌に押し付けたときの移動量（フロート量）については，１．０ｍｍ〜７．０ｍｍ程度でよいが、好ましくは２．０ｍｍ〜６．０ｍｍ、さらに好ましくは３．０ｍｍ〜５．０ｍｍであることが望ましい。
【００８３】
図２２は、図１８に対し、第２プローブヘッド１３を肌に押し付けることでヘッドスプリング１４１が撓んで第２ヘッド部７がスプリングベース１２７に接近した状態を示し、図２３は、図１８に対し、第２ヘッド部７がスプリングベース１２７に対して揺動して傾いた状態を示している。但し図２３は、図１８とは別の角度から見た断面図である。
【００８４】
前記したヘッドストッパ１３１は、その板状部分１３１ａの下面に、振動モータ１４３を取り付けるモータ取付部１３１ｂを設けてあり、このモータ取付部１３１ｂに、ねじ１４５により基板１２５を取り付けている。この際、振動モータ１４３は、下部に配置した基板１２５と、モータ取付部１３１ｂに形成してある、振動モータ１４３の外形に合わせた凹状の円弧部１３１ｃとに挟持された状態となる。
【００８５】
上記した基板１２５には、振動モータ１４３に一端を接続しているモータリード線１４７の他端を接続する。さらに、この基板１２５と前記した本体回路基板３５とをリード線１５１で接続する。
【００８６】
振動モータ１４３は、偏芯バランサ１５３を備えており、第２ヘッド部７全体に対してバイブレーションを発生させる機能を備えている。この振動モータ１４３の適正回転数は、好ましくは４４００ｒｐｍ〜７０００ｒｐｍ、さらに好ましくは５７００ｒｐｍ程度であることが望ましい。
【００８７】
図２４は、上記したヘッドスプリング１４１に代わる弾性手段として例えば弾性をもつウレタンなどの樹脂からなる中空リング１５５を設けた例を示す、前記図１８に対応する断面図である。
【００８８】
すなわち、この例は、ヘッドスプリング１４１及びプリングカバー１３９に代えて円筒形状の中空リング１５５を設けており、その他の構成は図１８のものと同様である。そのほか、ヘッドスプリング１４１に代わる弾性手段としてエアサスペンションも使用できる。
【００８９】
中空リング１５５を用いた場合には、ヘッドスプリング１４１を用いた場合に比較して部品点数を削減でき、簡素化した構造とすることができる。なお、中空リング１５５の材質は、ゴムカバー１２９と同様に、ＥＰＤＭ，ＮＢＲまたはシリコンゴムである。
【００９０】
また、前記図１８に示したスプリングカバー１３９を廃止して、ヘッドベース１１３の凸曲面１１３ｅと第２ヘッドリング７４の凹曲面７４ａとの少なくともいずれか一方に対し、ゴムやエストラマなどの弾性体を取り付けるか、あるいは樹脂などの弾性体を一体成形、もしくはゴム塗装やウレタン塗装を実施してもよい。
【００９１】
次に、上記のように構成した超音波美容器具の動作モードについて説明する。まず、図２に示すスイッチ１５を１回押すと、本体電源が投入されたことを示すようにＬＥＤ２１が点灯し、鼻部のケアが可能な第１ヘッド部５の第１超音波振動子７５が超音波振動して、この振動を第１プロープヘッド９に伝達する。
【００９２】
スイッチ１５を１回押した後、５分が経過した場合には、本体電源が自動的にＯＦＦとなるが、５分以内にもう一度スイッチ１５を押すと、今まで動作していた第１プロープヘッド９の超音波振動が停止し、顔部のケアが可能な第２ヘッド部７の第２超音波振動子１０７が超音波振動して、この振動を第２プロープヘッド１３に伝達し、同時に振動モータ１４３も駆動する。このときＬＥＤ２３が点灯する一方、ＬＥＤ２１は消灯する。
【００９３】
この状態で６分が経過した場合には、本体電源が自動的にＯＦＦとなるが、６分以内にもう一度スイッチ１５を押すと、振動モータ１４３が停止し、第２超音波振動子１０７のみが動作して第２プロープヘッド１３の超音波振動を継続させる。このとき、ＬＥＤ２５が点灯する一方、ＬＥＤ２３は消灯する。
【００９４】
この状態でさらにスイッチ１５を一度押すか、または第２プロープヘッド１３を２分３０秒間肌に対して移動負荷を与えない状態でいる、あるいは１０分間第２プロープヘッド１３を肌に押し付けて肌ケアを行うと、本体電源がオフとなってＬＥＤ２５が消灯する。
【００９５】
このように本超音波美容器具では、本体部１に設けたスイッチ１５の操作によって第１ヘッド部５と第２ヘッド部７とを選択的に動作させることが可能となる。
【００９６】
また、本実施形態においては、第１プローブヘッド９または第２プローブヘッド１３を作動させるときに、振動子制御回路基板３６における同一の制御回路から同一の超音波周波数を供給する構成としているので、器具全体の小型化を達成することができる。
【００９７】
さらに、本超音波美容器具によれば、図１に示すように、全体をＹ字形状とすることで、使用者が本体部１を自然に把持した状態で、第１，第２ヘッド部５，７の先端に設けた第１，第２プローブヘッド９，１３の接触面９ａ，１３ａを肌表面に接触させやすくなり、Ｔ字形状とした場合に比較して使い勝手が向上する。
【００９８】
次に、図６に示す第１ヘッド部５を使用して鼻部のケアを行う動作について説明する。本体部１を手に持って、前述したようにスイッチ１５を１回押すことで、第１プローブヘッド９が超音波振動する。この状態で第１ヘッド部５を鼻の上部（眉間の直下）に接近させ押し付ける。この際アタッチメント１１の切欠１１ａが下部に位置しており、この状態で一定以上の押し付け荷重をアタッチメント１１を介して付与すると、アタッチメント１１がプローブヘッドスプリング８３の弾性力に抗しながら後退する。
【００９９】
ここでアタッチメント１１の肌接触部１１ａの内径は１７．０ｍｍ、外径は２０．０ｍｍである。一例としてアタッチメント１１が１．５ｍｍ後退したときの断面図を図９に示す。アタッチメント１１及び超音波振動が付与されている第１プローブヘッド９が肌に接触し図９のような状態にあるときに、第１プローブヘッド９の超音波振動により角栓や毛穴の汚れ成分が軟化し、これらを肌表面に押し出すことができる。
【０１００】
この状態で、本器具を鼻の先端側に向けて徐々にスライド移動させることで、上記押し出されて軟化した角栓や毛穴の汚れ成分をアタッチメント１１の内周縁によって剥ぎ取るようにして除去する。この際アタッチメント１１には進行方向前方側に切欠１１ａがあり、切欠１１ａと反対側の鼻に接触する内周縁をＲ形状としているので、肌への傷つきを軽減した状態で鼻のケアを行うことができ、同時に、超音波振動により除去後の毛穴の引き締め効果も得られる。
【０１０１】
また、アタッチメント１１は円形としているので、移動方向を変化させても問題ない。このようなアタッチメント１１は、取り外しが可能なので、取り外した状態で単体での水洗いができ、掃除性が向上して常に清潔な状態で使用することができる。
【０１０２】
なお、このアタッチメント１１の押し付け時の後退量（フロート量）としては、最大で２．０ｍｍ程度が好ましく、その最大後退時には、プローブカバー７７の先端にアタッチメント１１の内面が当接部Ｐにて当接するものとする。また、使用時における超音波振動子９の接触面９ａからの突出量αは、０．３ｍｍ以上、好ましくは０．５ｍｍであることが望ましい。
【０１０３】
フロート量が２．０ｍｍを超える場合には、肌に押し付けるときのストロークが大きくなって使い勝手が悪くなり、また使用時での突出量αが０．５ｍｍを超える場合には、第１超音波振動子９が肌に接触しにくくなる。
【０１０４】
また、アタッチメント１１の押し付け荷重としては、好ましくは０.６８６Ｎ〜１．０７８Ｎ、さらに好ましくは、０．７８４Ｎ〜０．９８Ｎが望ましい。
【０１０５】
また、上記したアタッチメント１１は、プローブヘッドスプリング８３によってフロート可能な構造としているが、固定構造としてもよく、また円形に限らず板状のものでもよい。
【０１０６】
次に、図１８に示す第２ヘッド部７を使用して顔部のケアを行う動作について説明する。前述したように第１ヘッド部５が作動している状態で、スイッチ１５をもう１回押すことで、第２プローブヘッド１３が超音波振動するとともに、振動モータ１４３が作動してバイブレーション機能が発生する。この状態で第２ヘッド部７を顔部の例えば頬に接近させ押し付ける。
【０１０７】
上記した第２プローブヘッド１３の超音波振動と、振動モータ１４３のバイブレーション機能により、毛穴に張りを与えて血行を促進させ、コラーゲンの生成を促進し、肌に張りが出ることで、毛穴を目立たなくなるようにする。
【０１０８】
ここで第２プローブヘッド１３を肌に対して一定以上の押し付け荷重を付与すると、図２２に一例を示すように、ヘッドスプリング１４１が撓み第２プローブヘッド１３が後退する。このとき、ヘッドベース１１３も一体となって後退し、そのボス部１１３ｄがゴムカバー１２９を撓ませ、さらにヘッドストッパ１３１や振動モータ１４３も一体となって後退する。
【０１０９】
また、本器具を肌表面に沿って移動させる際などには、図２３に示すように、上記一体となって後退した部分全体が傾くことで、第２プローブヘッド１３の接触面１３ａを肌表面に常に自然な状態で接触させることができる。
【０１１０】
この際、ＥＰＤＭなどの弾性体で構成してあるスプリングカバー１３９を設けているので、ヘッドベース１１３とスプリングベース１２７とが干渉しても、振動モータ１４３による横方向振動をスプリングカバー１３９が吸収し、異音発生を防止することができる。したがって、耳障りな音などによる不快感なく肌ケアを行うことができる。
【０１１１】
また、前述した第１ヘッド部５は、図６に示すように、接続金具９５，９７を取り付けたプローブ基台９１上に第１プローブヘッド９を配置し、この組立部品にプローブカバー７７を被せ、プローブ基台９１とプローブカバー７７とをねじ９３により固定することで、第１プローブヘッド９がプローブ基台９１に押し付けられ、これにより接続金具９５，９７の各接触片９５ａ，９７ａが撓んで第１プローブヘッド９のフランジ９ｄの下面及び第２超音波振動子７５にそれぞれ接触する。このため、この接触状態が良好に保たれ、本体回路基板３５からの電気信号を第１超音波振動子７５に安定して伝達させることができる。
【０１１２】
また、これら各接続金具９５，９７は、図１５に示すように十字形状の絶縁リブ９１ｇによって隔離され、互いの接触を確実に回避することができ、接続金具９５，９７同士の短絡を防止して制御回路の破損などの不具合を防止することができる。
【０１１３】
さらに、図１３に示すように、接続金具９７の接触片９７ａを、第１プローブヘッド９の外側部分の端面９ｄ１に接触させており、第１プローブヘッド９の内側の狭い空間にて第１プローブヘッド９に接触させていないので、接触状態が安定化し、かつ一方の接続端子である接続金具９５と他方の接続端子である接続金具９７との短絡を回避することができる。
【０１１４】
したがって、本実施形態においては、接続金具９５及び接続金具９７を、これら相互の短絡を回避しつつ、第１超音波振動子７５及び第１プローブヘッド９に安定した状態で接触させることができ、本体制御回路から送られてくる電気信号を安定化させることができる。
【０１１５】
上記図１３に対して別の例である図１６の構造においても、他方の接続端子となる接続金具９７Ａの接触片９７Ａａを、第１プローブヘッド９の内側の狭い空間にて第１プローブヘッド９に接触させずに、第１プローブヘッド９の外側部分の外側面９ｄ２に接触させているので、上記と同様の効果を得ることができる。
【０１１６】
上記した第１ヘッド部５において、ジェルなどの液体を用いて肌ケアを行うときには、この液体が第１プローブヘッド９やアタッチメント１１を伝わって内部に侵入しようとするが、Ｏリング７９，８９が、この侵入を阻止して良好な使用状態を確保することができる。また、このような防水構造を備えているので、第１プローブヘッド９やそれに取り巻く部品に付着した液体や固体を水洗いすることができ、また本体制御回路の破損を防止することができる。
【０１１７】
一方、第２ヘッド部７においても、ジェルなどの液体を用いて肌ケアを行うときには、この液体が第２プローブヘッド１３やヘッドカバー１０９を伝わって内部に侵入しようとするが、Ｏリング１１１，１１５，ゴムカバー１２９及びＯリング１３０がこの侵入を阻止して良好な使用状態を確保することができる。また、このような防水構造を備えているので、第２プローブヘッド１３やそれに取り巻く部品に付着した液体や固体を水洗いすることができ、また本体制御回路の破損を防止することができる。
【０１１８】
さらに、本器具を用いてジェルなどの液体を用いて肌ケアを行うときには、この液体が、図５に示すヘッドケース６５，６７やハウジング３１を伝わって本体内部に侵入しようとするが、本体Ｏリング６３，スイッチゴム５１，下カバーＯリング５７により、この侵入を阻止して良好な使用状態を確保することができる。
【０１１９】
したがって、この場合にも本体部１に取り巻く部品に付着した液体や固体を水洗いすることができ、また本体制御回路の破損を防止することができる。
【０１２０】
また、図１８に示す第２ヘッド部７においては、ヘッドベース１１３のボス部１１３ｄに、振動モータ１４３及び基板１２５を取り付けるヘッドストッパ１３１を固定し、これらが一体となってスプリングベース１２７に対して前後移動や揺動するので、振動モータ１４３と基板１２５とを接続する、比較的細く形成してあるモータリード線１４７の破断を防止することができる。
【０１２１】
なお、上記振動モータ１４３と基板１２５と接続するモータリード線１４７に代えて、振動モータ１４３と基板１２５にそれぞれ設けた接続金具同士の接触や、振動モータ１４３に設けた接続金具を基板１２５側のメッキされた接点に接触させる構成でも構わない。
【図面の簡単な説明】
【０１２２】
【図１】本発明の一実施形態を示す超音波美容器具の正面図である。
【図２】図１の背面図である。
【図３】図１の超音波美容器具にキャップを装着した状態を示す正面図である。
【図４】図１の超音波美容器具の分解斜視図である。
【図５】図２のＡ−Ａ断面図である。
【図６】第１ヘッド部の断面図である。
【図７】第１ヘッド部の分解斜視図である。
【図８】第１ヘッド部を、ヘッド基台に連結した状態を示す断面図である。
【図９】図６に対しアタッチメントが後退移動した状態を示す断面図である。
【図１０】アタッチメントを取り外した状態の第１ヘッド部の正面図である。
【図１１】図６に対し第１ヘッドリング，プローブスプリングカバー，プローブヘッドスプリング及びアタッチメントを省略した状態の正面図である。
【図１２】図１１に対応する正面断面図である。
【図１３】図１２のＢ−Ｂ線断面図である。
【図１４】図１３におけるヘッド基台の平面図である。
【図１５】図１３におけるヘッド基台の底面図である。
【図１６】図１３に対応する別の例を示す断面図である。
【図１７】接続金具に代えてコイルばねを設けた例を示す、図１２に対応する断面図である。
【図１８】第２ヘッド部の断面図である。
【図１９】第２ヘッド部の分解斜視図である。
【図２０】第２ヘッド部を、ヘッド基台に連結した状態を示す断面図である。
【図２１】第２ヘッド部をヘッド基台に連結した状態を示す外観図である。
【図２２】図１７に対し、第２ヘッド部が後退移動した状態を示す断面図である。
【図２３】図１７に対し、第２ヘッド部が揺動して傾いた状態を示す断面図である。
【図２４】ヘッドスプリングに代わる中空リングを設けた例を示す、図１８に対応する断面図である。
【符号の説明】
【０１２３】
１  本体部
９  第１プローブヘッド（プローブヘッド）
９ｄ１  第１プローブヘッドの外側部分の端面
９ｄ２  第１プローブヘッドの外側部分の外側面
９ｉ  第１プローブヘッドの凹部
３６  制御回路を備えた振動子制御回路基板
７５  第１超音波振動子（超音波振動子）
９５  接続金具（一方の接続端子）
９７，９７Ａ  接続金具（他方の接続端子）
【図１】
0004840317.tif 000002
【図２】
0004840317.tif 000003
【図３】
0004840317.tif 000004
【図４】
0004840317.tif 000005
【図５】
0004840317.tif 000006
【図６】
0004840317.tif 000007
【図７】
0004840317.tif 000008
【図８】
0004840317.tif 000009
【図９】
0004840317.tif 000010
【図１０】
0004840317.tif 000011
【図１１】
0004840317.tif 000012
【図１２】
0004840317.tif 000013
【図１３】
0004840317.tif 000014
【図１４】
0004840317.tif 000015
【図１５】
0004840317.tif 000016
【図１６】
0004840317.tif 000017
【図１７】
0004840317.tif 000018
【図１８】
0004840317.tif 000019
【図１９】
0004840317.tif 000020
【図２０】
0004840317.tif 000021
【図２１】
0004840317.tif 000022
【図２２】
0004840317.tif 000023
【図２３】
0004840317.tif 000024
【図２４】
0004840317.tif 000025